(57)【要約】【課題】古新聞紙や古雑誌等の紙製品を子供や女性でも極めて簡単、且つ確実に強固に結束することができると共に、一般的な結束方法とほぼ同じで簡単に使用することができる結束補助具を提供する。【解決手段】結束補助具１は新聞紙、雑誌などを紐により結束するための補助具であって、平らな長方形の板１０の平行な二辺１０ａのそれぞれから内側に向かって、二つずつスリット１５を形成する。スリット１５の長手方向の線の外側の部分をそれぞれ内側に曲げて形成されていることが好ましい。向かい合うスリット１５方向の外側の両端の板をスリット１５の先端部から平行な二辺１０ａの垂直な辺に向かって外側に伸びる線でそれぞれ内側に曲げて形成されていることが更に好ましい。【選択図】図１
2015193401.tif 000002
【特許請求の範囲】
【請求項１】
新聞紙、雑誌などを紐により結束するための補助具であって、
平らな長方形の板の平行な二辺のそれぞれから内側に向かって、二つずつ前記紐を摩擦固定するためのスリットを形成することを特徴とする結束補助具。
【請求項２】
前記スリットの長手方向の線の外側の部分をそれぞれ内側に曲げた請求項１に記載の結束補助具。
【請求項３】
向かい合う前記スリット方向の外側の両端の板を前記スリットの先端部から前記二辺に垂直な辺に向かって外側に伸びる線でそれぞれ内側に曲げた請求項１又は２に記載の結束補助具。
【発明の詳細な説明】
【技術分野】
【０００１】
本発明は、古新聞紙、古雑誌やダンボール等の紙製品を複数枚束ねて結束紐で簡単に縛り、整理、保管、あるいは廃棄処分することができる結束補助具に関するものである。
【背景技術】
【０００２】
従来、例えば、古新聞紙、古雑誌やダンボール等の紙製品を複数枚束ねて整理、保管、あるいは廃棄処分する場合結束紐を使用して結束しているが、特に力のない子供や女性は、固く結束することが難しく、結束紐が緩んでしまい、結束したものが崩れてしまう課題があった。
【先行技術文献】
【特許文献】
【０００３】
【特許文献１】特開２０１１−１２１６０５号公報
【発明の概要】
【発明が解決しようとする課題】
【０００４】
前記特許文献１に記載された結束補助具は古新聞紙、古雑誌等の紙製品を結束する際に補助具自体を取り外すことができる、しかし特別な手順があり、使用方法を忘れる可能性があったため、使用するたびに使い方を確認する必要があり手間がかかるという課題があった。
【０００５】
本発明は、前記従来の課題を解決すべくなされたものであって古新聞紙や古雑誌等の紙製品を子供や女性でも極めて簡単、且つ確実に強固に結束することができると共に、一般的な結束方法とほぼ同じで簡単に使用することができる結束補助具を提供しようとするものである。
【課題を解決するための手段】
【０００６】
請求項１の結束補助具は、新聞紙、雑誌などを紐により結束するための補助具であって、平らな長方形の板の平行な二辺のそれぞれから内側に向かって、二つずつ紐を摩擦固定するためのスリットを形成することを特徴とする。
また、請求項２結束補助具は、請求項１において、前記スリットの長手方向の線の外側の部分をそれぞれ内側に曲げて形成されている。
請求項３の結束補助具は、請求項１又は２において、向かい合う前記スリット方向の外側の両端の板を前記スリットの先端部から前記二辺に垂直な辺に向かって外側に伸びる線でそれぞれ内側に曲げて形成されている。
【発明の効果】
【０００７】
前記構成より成る本発明によれば構造が極めて簡単で安価に製造できるとともに、その使用方法も極めて単純であるため、力のない子供や女子でも容易に使用して、確実、且つ強固に被結束物を結束できる。
請求項１の結束補助具は結束後、結束した古新聞紙や古雑誌を重ねるときに邪魔にならない。
請求項２の結束補助具は請求項１の結束補助具よりも両端が折り曲げられているためスリットに引っ掛けやすく簡単に縛ることができ構造も簡単である。
請求項３の結束補助具は外側の部分を折り曲げたことにより、スリットに紐を通しやすくなったため、請求項２の結束補助具よりも更に結束しやすい。
【図面の簡単な説明】
【０００８】
【図１】本発明の実施形態１の結束補助具の斜視図である。
【図２】本発明の実施形態２の結束補助具の斜視図である。
【図３】本発明の実施形態３の結束補助具の斜視図である。
【図４】本発明の実施形態４の結束補助具の斜視図である。
【図５】古雑誌に結束紐をつけた裏面図である。
【図６】古雑誌に結束紐をつけた表面図である。
【図７】実施形態１の結束補助具を用いて古新聞紙を結束する状態を示す図である。
【図８】実施形態１の結束補助具を用いて古新聞紙を結束する状態を示す図である。
【図９】実施形態１の結束補助具を用いて古新聞紙を結束する状態を示す図である。
【図１０】実施形態１の結束補助具を用いて古新聞紙を結束する状態を示す図である。
【図１１】本発明結束補助具を用いり、古新聞紙を結束紐で縛りつけた状態を示す全体の斜視図である。
【発明を実施するための形態】
【実施例１】
【０００９】
本発明の結束補助具１は、図１に示すように平らな長方形の板１０の平行な2辺１０ａのそれぞれから内側に向かって、２つずつスリット１５を形成している。
【００１０】
結束補助具１を用いて新聞紙を結束する方法を説明する。図５に示すように紐５０を交差させ裏に十字を作る。裏返して図６のようにする。図７のように紐５０を結束具１のスリットのＢ、Ｄに通す。図８のように紐５０ａ、５０ｂを引っ張りながら、紐５０ａを結束具１のスリットＣに、紐５０ｂを結束具１のスリットＡにはめ込む。図９、１０のように紐５０ａを結束具１の外側を回しスリットＢにはめる。紐５０ｂを結束具１の外側を回しスリットＤにはめる。図１１のように蝶結びに縛る。
【実施例２】
【００１１】
本発明の結束補助具２は、平らな長方形の板２０の平行な二辺２０aのそれぞれから内側に向かって、二つずつスリット２５を形成し、この前記スリット２５の長手方向の線の外側の部分２２をそれぞれ内側部分２１に対して内側に曲げて形成されている。
実施例１の結束補助具１よりも両端が折り曲げられているためスリットに引っ掛けやすく簡単に縛ることができ構造も簡単である。
結束補助具２を用いて新聞紙を結束する方法も実施例１と同様の使用方法であるため説明を省略する。
【実施例３】
【００１２】
本発明の結束補助具３は、平らな長方形の板３０の平行な二辺３０aのそれぞれから内側に向かって、二つずつスリット３５を形成し、向かい合う前記スリット方向の外側の両端の板３２aを前記スリット３５の先端部から前記二辺３０aに垂直な辺３０ｂに向かって外側に伸びる線３２ｂでそれぞれ内側に曲げて形成されている。
結束補助具は外側の部分を折り曲げたことにより、スリットに紐を通しやすくなったため、実施例２の結束補助具２よりも更に結束しやすい。
結束補助具３を用いて新聞紙を結束する方法も実施例１と同様の使用方法であるため説明を省略する。
【実施例４】
【００１３】
本発明の結束補助具４は、平らな長方形の板４０の平行な二辺４０aのそれぞれから内側に向かって、二つずつスリット４５を形成し、前記スリット４５の長手方向の線の外側の部分４２をそれぞれ内側部分４１に対して内側に曲げて形成され、向かい合う前記スリット方向の外側の両端の板４２aを前記スリット４５の先端部から前記二辺４０aに垂直な辺４０ｂに向かって外側に伸びる線４２bでそれぞれ内側に曲げて形成されている。
両端が折り曲げられているためスリットに引っ掛けやすく簡単に縛ることができ構造も簡単で結束補助具は外側の部分を折り曲げたことにより、スリットに紐を通しやすくなったため、実施例２の結束補助具２よりも更に結束しやすい。
結束補助具４を用いて新聞紙を結束する方法も実施例１と同様の使用方法であるため説明を省略する。
【符号の説明】
【００１４】
１、２、３、４  結束補助具
１０、２０、３０、４０  長方形の板
１０ａ、２０ａ、３０ａ、４０ａ  平行な２辺
１５、２５、３５、４５  スリット
２１  内側の部分
２２  外側の部分
３０ｂ、４０ｂ  垂直な辺
３２ｂ  外側に伸びる線
５０、５０ａ、５０ｂ  結束紐
６０  新聞紙
【図１】
2015193401.tif 000003
【図２】
2015193401.tif 000004
【図３】
2015193401.tif 000005
【図４】
2015193401.tif 000006
【図５】
2015193401.tif 000007
【図６】
2015193401.tif 000008
【図７】
2015193401.tif 000009
【図８】
2015193401.tif 000010
【図９】
2015193401.tif 000011
【図１０】
2015193401.tif 000012
【図１１】
2015193401.tif 000013
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
紙製品を紐により結束するための補助具であって、
平らな長方形の板の平行な二辺のそれぞれから内側に向かって、二つずつ前記紐を摩擦固定するためのスリットを形成し、
前記スリットの長手方向の線の外側の部分をそれぞれ内側に曲げたことを特徴とする結束補助具。
【請求項２】
紙製品を紐により結束するための補助具であって、
平らな長方形の板の平行な二辺のそれぞれから内側に向かって、二つずつ前記紐を摩擦固定するためのスリットを形成し、
向かい合う前記スリット方向の外側の両端の板を前記スリットの先端部から前記二辺に垂直な辺に向かって外側に伸びる線でそれぞれ内側に曲げたことを特徴とする結束補助具。
【請求項３】
向かい合う前記スリット方向の外側の両端の板を前記スリットの先端部から前記二辺に垂直な辺に向かって外側に伸びる線でそれぞれ内側に曲げた請求項１に記載の結束補助具。
【手続補正２】
【補正対象書類名】明細書
【補正対象項目名】０００６
【補正方法】変更
【補正の内容】
【０００６】
請求項１の結束補助具は、紙製品を紐により結束するための補助具であって、平らな長方形の板の平行な二辺のそれぞれから内側に向かって、二つずつ前記紐を摩擦固定するためのスリットを形成し、前記スリットの長手方向の線の外側の部分をそれぞれ内側に曲げたことを特徴とする。
また、請求項２の結束補助具は、紙製品を紐により結束するための補助具であって、平らな長方形の板の平行な二辺のそれぞれから内側に向かって、二つずつ前記紐を摩擦固定するためのスリットを形成し、向かい合う前記スリット方向の外側の両端の板を前記スリットの先端部から前記二辺に垂直な辺に向かって外側に伸びる線でそれぞれ内側に曲げたことを特徴とする。
請求項３の結束補助具は、請求項１において、向かい合う前記スリット方向の外側の両端の板を前記スリットの先端部から前記二辺に垂直な辺に向かって外側に伸びる線でそれぞれ内側に曲げて形成されている。
【手続補正３】
【補正対象書類名】明細書
【補正対象項目名】０００７
【補正方法】変更
【補正の内容】
【０００７】
前記構成より成る本発明によれば構造が極めて簡単で安価に製造できるとともに、その使用方法も極めて単純であるため、力のない子供や女子でも容易に使用して、確実、且つ強固に被結束物を結束できる。
請求項１の結束補助具は結束後、結束した古新聞紙や古雑誌を重ねるときに邪魔にならない。そして、外側の部分がそれぞれ内側に曲げられているためスリットに引っ掛けやすく簡単に縛ることができ構造も簡単である。
請求項２の結束補助具も、結束した古新聞紙や古雑誌を重ねるときに邪魔にならない。そして、外側の両端の板を前記スリットの先端部から前記二辺に垂直な辺に向かって外側に伸びる線でそれぞれ内側に曲げたことによりスリットに紐を通しやすい。
請求項３の結束補助具は、外側の両端の板を前記スリットの先端部から前記二辺に垂直な辺に向かって外側に伸びる線でそれぞれ内側に曲げたことにより、スリットに紐を通しやすくなったため、請求項１の結束補助具よりも更に結束しやすい。